(57)【要約】【課題】  アニマルネッカーと同様の構成を持つ小児用抜管予防具において、装着中に小児の呼吸を妨げることを防止可能な小児用抜管予防具を提供すること。【解決手段】  小児用抜管予防具１０は、シート部材２０によって経鼻経管栄養チューブに触れることなど阻止でき、さらに、シート部材２０において開口部の小児の頚部の喉頭が位置する側の部分が外側に向かって突出するように形成したので、シート部材２０と小児の頚部との間に間隙ができ、スナップボタンをシート部材２０の内周側縁辺部と外周側縁辺部との中間領域に設けているので、小児の頚部がシート部材２０の両端部の内周側縁辺部に押し当てられても、シート部材２０の両端部近傍部分がたわむことによって、小児の呼吸を妨げることを防止することができる。【選択図】  図３
0003212904.tif 000002
【実用新案登録請求の範囲】
【請求項１】
略扇形状に形成されたシート部材と、
前記シート部材の第１の端部の近傍部分と第２の端部の近傍部分とを互いに重なり合った状態で接続可能な接続手段を有し、
前記接続手段によって前記シート部材の前記第１の端部近傍部分と前記第２の端部近傍部分を互いに重なり合った状態で接続したときに、前記シート部材の中央に小児の頚部に対応した大きさの開口部が形成される小児用抜管予防具であって、
前記シート部材は、前記開口部の前記小児の前記頚部の喉頭が位置する側の部分が外側に向かって突出するように形成されていることを特徴とする小児用抜管予防具。
【請求項２】
前記接続手段は、前記シート部材の内周側縁辺部と外周側縁辺部との中間領域に設けられたスナップボタンであることを特徴とする請求項１に記載の小児用抜管予防具。
【請求項３】
前記シート部材は、透明な材料から形成されると共に、下面全体に凸部が形成されていることを特徴とする請求項１又は請求項２に記載の小児用抜管予防具。
【考案の詳細な説明】
【技術分野】
【０００１】
本考案は、経鼻経管栄養チューブが挿入されている小児が抜管することを防止するための小児用抜管予防具に関するものである。
【背景技術】
【０００２】
動物医療においては、イヌやネコなどの患者動物が傷などのある患部を本能的に舐めることを防止するために、アニマルネッカーがよく利用されている。アニマルネッカーは、エリザベスカラーとも呼ばれており、患者動物の頚部に装着することによって、患者動物の口と患部との間にある障壁となり、患者動物が患部を舐めることを確実に阻止できるものである。
【０００３】
図８は、従来技術に係る患者動物用のエリザベスカラーを示し、（ａ）は正面図、（ｂ）は使用状態図である。図８において、１００はエリザベスカラー、１０１はメッシュシート、１０２は補強部材、１０３はスナップボタン上部、１０４はスナップボタン下部、１０５は内周側縁辺部、１０６は外周側縁辺部、１０７、１０８及び１０９は直線状部、１１０は患者動物、１１１は首下部当接領域である。
【０００４】
図８は、登録実用新案第３１２６９７６号公報において開示されているアニマルネッカーである。なお、この公報に開示された考案においては、エリザベスカラーと称している。エリザベスカラー１００は、図８（ａ）に示すように、患者動物の口と患部との間の障壁となるシートをメッシュシート１０１によって形成している。また、メッシュシート１０１は、形が崩れないように補強枠材１０２によって補強されている。補強枠材１０２は、内周側縁辺部１０５及び外周側縁辺部１０６、並びに、これらの間に設けられた直線状部１０７、１０８及び１０９から構成されている。また、メッシュシート１０１の両端部近傍部分には、スナップボタン上部１０３とスナップボタン下部１０４からなるスナップボタンを設けている。スナップボタン上部１０３とスナップボタン下部１０４とは、それぞれ３個ずつ２列に配置されており、メッシュシート１０１の内周側と外周側の２箇所で固定できるようにしている。
【０００５】
また、エリザベスカラー１００を使用する場合には、図８（ｂ）に示すように、患者動物１１０の頚部に補強枠材１０２の内周側縁辺部１０５を巻き付けるように配置し、メッシュシート１０１の直線状部１０８の近傍部分と直線状部１０９の近傍部分とを重ね合わせた上で、スナップボタン上部１０３とスナップボタン下部１０４とを２箇所において止め付ける。以上の構成によれば、メッシュシート１０１を使用することによってエリザベスカラー１００を軽量化できると共に、患者動物がメッシュシート１０１の向こう側を見通すことができるので、患者動物のストレスを軽減できるという考案になっている。
【０００６】
ところで、アニマルネッカーのこのような構成は、ヒトに対しても応用できる場合がある。例えば、０歳から１歳の小児が経鼻経管栄養法によって栄養を補給しているときに、経鼻経管栄養チューブを抜管することがあるので、このような小児に対して応用できることが大変望ましいと言える。また、手や腕を拘束しておく必要がなくなるので、手や腕を自由に動かすことができ、小児の認知発達が促進されるという大きな効果もある。さらに、顔面に患部があるときに、患部を引っ掻くことなども防止できる。
【０００７】
しかし、図８に示したようなアニマルネッカーを小児にそのまま適用することは適当でない。すなわち、イヌやネコなどの患者動物では、アニマルネッカーと頚部との間隙に前肢を押し込んで患部を舐めてしまう可能性があるので、図８（ａ）に示すように、内周側縁辺部１０５の全体を円弧状形状に形成し、患者動物１１０に装着したときに、内周側縁辺部１０５と頚部との間にできる限り間隙を生じないようにしている。これに対して、小児においては、アニマルネッカーと頚部との間隙に手を挿入する動作が困難であるので、内周側縁辺部１０５と頚部との間に多少の間隙があっても問題ない。さらに、図８のような構成のものを装着中に、ほぼ直立した上体の姿勢が崩れると、内周側縁辺部１０５の首下部当接領域１１１が喉頭部に押し当てられた状態になり、呼吸を妨げる可能性がある。イヌやネコなどの患者動物は、四足歩行であり、直立した姿勢になることがないので、このような問題が発生することはない。
【先行技術文献】
【特許文献】
【０００８】
【特許文献１】登録実用新案第３１２６９７６号公報
【考案の概要】
【考案が解決しようとする課題】
【０００９】
本考案は、上記課題を解決するために、アニマルネッカーと同様の構成を持つ小児用抜管予防具において、装着中に小児の呼吸を妨げることを防止可能な小児用抜管予防具を提供することを目的とする。
【課題を解決するための手段】
【００１０】
請求項１に記載の考案は、略扇形状に形成されたシート部材と、前記シート部材の第１の端部の近傍部分と第２の端部の近傍部分とを互いに重なり合った状態で接続可能な接続手段を有し、前記接続手段によって前記シート部材の前記第１の端部近傍部分と前記第２の端部近傍部分を互いに重なり合った状態で接続したときに、前記シート部材の中央に小児の頚部に対応した大きさの開口部が形成される小児用抜管予防具であって、前記シート部材は、前記開口部の前記小児の前記頚部の喉頭が位置する側の部分が外側に向かって突出するように形成されていることを特徴とする小児用抜管予防具である。
【００１１】
請求項２に記載の考案は、請求項１に記載の考案において、前記接続手段は、前記シート部材の内周側縁辺部と外周側縁辺部との中間領域に設けられたスナップボタンであることを特徴とする小児用抜管予防具である。
【００１２】
請求項３に記載の考案は、請求項１又は請求項２に記載の考案において、前記シート部材は、透明な材料から形成されると共に、下面全体に凸部が形成されていることを特徴とする小児用抜管予防具である。
【考案の効果】
【００１３】
請求項１に記載の考案によれば、シート部材において開口部の小児の頚部の喉頭が位置する側の部分が外側に向かって突出するように形成したので、シート部材と小児の頚部との間に間隙ができ、装着中に小児の呼吸を妨げることを防止することができる。
【００１４】
請求項２に記載の考案によれば、スナップボタンをシート部材の内周側縁辺部と外周側縁辺部との中間領域に設けているので、シート部材の両端部の内周側縁辺部は互いに接続されていない状態になる。したがって、小児の頚部がシート部材の両端部の内周側縁辺部に押し当てられても、シート部材の両端部近傍部分がたわむことによって、小児の呼吸を妨げることを防止できる。
【００１５】
請求項３に記載の考案によれば、例えば経鼻経管栄養チューブや顔の患部に触ろうとしたときに、シート部材の下面の凸部に触れることになるので、凸部を認識して繰り返し触わることなどを通じてリーチングを向上し、認知発達を促進することが可能となる。
【図面の簡単な説明】
【００１６】
【図１】本考案の実施の形態に係る小児用抜管予防具の正面図である。
【図２】本考案の実施の形態に係る小児用抜管予防具の断面図である。
【図３】本考案の実施の形態に係る小児用抜管予防具において開口部を形成した状態を示し、（ａ）は平面図、（ｂ）は正面図である。
【図４】本考案の実施の形態に係る小児用抜管予防具において開口部を形成した状態における特徴点を示した正面図である。
【図５】本考案の実施の形態に係る小児用抜管予防具の使用状態図（１）である。
【図６】本考案の実施の形態に係る小児用抜管予防具の使用状態図（２）である。
【図７】本考案のシート部材下面の凸部を示す図であり、（ａ）は本考案の実施の形態におけるシート部材の斜視図、（ｂ）は別の実施の形態における斜視図である。
【図８】従来技術に係る患者動物用のエリザベスカラーを示し、（ａ）は正面図、（ｂ）は使用状態図である。
【考案を実施するための形態】
【００１７】
図１は、本考案の実施の形態に係る小児用抜管予防具の正面図である。図１において、１０は小児用抜管予防具、２０はシート部材、２１、２２及び２３は挿管開口部、２４はエッジカバー部材、２５は円弧状内周側縁辺部、２６ａ及び２６ｂは曲線状内周側縁辺部、２７ａ及び２７ｂは直線状縁辺部、２８は外周側縁辺部、３０及び３１はスナップボタン上部、３２、３３、３４、３５及び３６はスナップボタン下部である。また、図２は、本考案の実施の形態に係る小児用抜管予防具の断面図である。図２において用いた符号は、すべて図１と同じものを示す。さらに、図３は、本考案の実施の形態に係る小児用抜管予防具において開口部を形成した状態を示し、（ａ）は平面図、（ｂ）は正面図である。図３において、２９は開口部、２９ａは突出部分であり、その他の符号は図１と同じものを示す。さらに、図４は、本考案の実施の形態に係る小児用抜管予防具において開口部を形成した状態における特徴点を示した正面図である。図４において、４０はスナップボタン配置領域、４１は外方突出部分であり、その他の符号は図１と同じものを示す。
【００１８】
本考案の実施の形態に係る小児用抜管予防具１０は、図１に示すように、ほぼ扇形状に形成されたシート部材２０の縁辺部の全体をエッジカバー部材２４で覆っている。シート部材２０は、図２に示すように、厚さ０．６ｍｍ又は０．７ｍｍという薄い透明なポリプロピレンから形成されている。したがって、シート部材２０汚れが付着しても直ぐに拭き取ることができる効果がある。なお、厚さは、装着する小児の年齢等に応じて０．６ｍｍ及び０．７ｍｍ以外の厚さにしてもよい。また、透明なポリプロピレンと同様の性状を有するものであれば、他の材料であってもよい。
【００１９】
また、シート部材２０は、図１に示すように、挿管開口部２１、２２及び２３が形成されている。挿管開口部２１、２２及び２３は、小児用抜管予防具１０を小児に装着したときに頭部の左右側方と後方となる位置にそれぞれ形成されており、経鼻経管栄養チューブを挿通できる大きさに形成されている。挿管開口部２１、２２及び２３を設けることによって、小児用抜管予防具１０が経鼻経管栄養チューブの配置が容易になる。また、挿管開口部２１、２２及び２３を利用して、小児用抜管予防具１０に玩具を吊り下げることによって、経鼻経管栄養法による栄養補給中においても玩具で遊ぶことが可能となり、小児の発達を促すという大きな効果も得られる。
【００２０】
さらに、シート部材２０は、アニマルネッカーとは異なる特徴的な輪郭を有している。なお、シート部材２０の輪郭を構成する縁辺部がエッジカバー部材２４によって覆われているので、エッジカバー部材２４の各部の構成を説明することを通じてシート部材２０の輪郭を以下に説明して行く。図１に示すように、ほぼ扇形状に形成されたシート部材２０において、内周側の縁辺部は円弧状内周側縁辺部２５によって覆われ、外周側の縁辺部は外周側縁辺部２８によって覆われている。円弧状内周側縁辺部２５と外周側縁辺部２８とは、シート部材２０の中央のほぼ同じ点を曲率中心とする円弧状に形成されている。これに対して、曲線状内周側縁辺部２６ａと曲線状内周側縁辺部２６ｂとは、円弧状内周側縁辺部２５とは逆側に曲がっている、つまり、曲率中心がシート部材２０のスナップボタン上部３１とスナップボタン下部３３との近傍に位置している。さらに、曲線状内周側縁辺部２６ａと曲線状内周側縁辺部２６ｂとに連続する直線状縁辺部２７ａと直線状縁辺部２７ｂは比較的短く形成され、短い曲線部を介して外周側縁辺部２８に続いて行く構成となっている。
【００２１】
シート部材２０の輪郭を以上のように構成することによって、図４に示すように、小児用抜管予防具１０を小児の頚部に装着したときに、シート部材２０の喉頭が位置する側の部分が外方突出部分４１のように外側に向かって突出した状態となる。言い換えると、シート部材２０は、図３に示すように、使用時に形成されるシート部材２０の開口部２９に突出部分２９ａができるように構成されている。突出部分２９ａは、装着した小児の頚部から離隔した間隙となるので、小児の喉元が締め付けられることがなく、装着中に小児の姿勢が崩れても、呼吸が妨げられることがない。なお、突出部分２９ａは、他のスナップボタン上部とスナップボタン下部の組み合わせにおいても形成される。ただし、突出部分２９ａの形状は多少異なる。また、他の小児用抜管予防具１０の装着方法は、後述する。
【００２２】
次に、エッジカバー部材２４は、柔軟な人工皮革から形成されており、シート部材２０によって縫い付けられている。なお、図１等の各図において、縫い付けた糸の記載は省略している。さらに、図２に示すように、シート部材２０の縁辺部は、端面だけで上面側及び下面側もエッジカバー部材２４によって覆われているので、シート部材２０の縁辺部で小児が指を傷付けるようなことを防止できる。また、非常に肌触りがよく、装着時の違和感を低減できるという効果もある。なお、エッジカバー部材２４は、接着剤で付着してもよい。さらに、人工皮革と同等の柔軟さを持つものであれば、樹脂製のエッジカバー部材であってもよい。
【００２３】
シート部材２０は、両端部近傍部分を互いに繋げる接続手段として、スナップボタンの凹部であるスナップボタン上部３０及び３１と、スナップボタンの凸部であるスナップボタン下部３２、３３、３４、３５及び３６とを設けている。図１において、シート部材２０のスナップボタン上部３０及び３１を設けている側の端部を第１の端部とし、スナップボタン下部３２、３３、３４、３５及び３６を設けている側の端部を第２の端部とすると、小児用抜管予防具１０を小児の頚部に装着する際には、第１の端部が第２の端部の上に位置するように重ね合わせる。そして、スナップボタン上部３０及び３１と、スナップボタン下部３２、３３、３４、３５及び３６とのうち、小児の頚部の太さに見合う位置にあるスナップボタンの上部と下部とを結合させる。そうすると、図３に示すように、シート部材２０の第１の端部近傍部分と第２の端部近傍部分とが接続された状態となる。
【００２４】
また、図４に示すように、スナップボタン上部３０及び３１と、スナップボタン下部３２、３３、３４、３５及び３６とのスナップボタン配置領域４０は、シート部材２０の内周側の縁辺部と外周側の縁辺部との中間領域に配置されている。したがって、シート部材２０の第１の端部及び第２の端部の外方突出部分４１の近傍部分は、スナップボタンによって接続されていない。したがって、小児用抜管予防具１０の装着中に小児が姿勢を崩し、シート部材２０の外方突出部分４１の近傍部分に頚部の喉頭領域が押し当てられた状態になったとしても、外方突出部分４１の近傍部分が上方又は下方にたわむので、呼吸が妨げられないという大きな効果がある。これは、図８に示したようなアニマルネッカーには存在しない利点である。
【００２５】
図５は、本考案の実施の形態に係る小児用抜管予防具の使用状態図（１）である。図５において、５０は小児、５１は手、５２は喉頭領域であり、その他の符号は図１と同じものを示す。また、図６は、本考案の実施の形態に係る小児用抜管予防具の使用状態図（２）である。図６において用いた符号は、図１及び図５と同じものを示す。
【００２６】
小児用抜管予防具１０は、前述のように、スナップボタン上部３０及び３１と、スナップボタン下部３２、３３、３４、３５及び３６とのうち、小児の頚部の太さに見合う位置にあるスナップボタンの上部と下部とを結合させることによって装着される。装着後は、小児５０が顔に向かって手５１を挙げても、図５及び図６に示すように、小児用抜管予防具１０のシート部材２０に当たって阻止されることになる。したがって、経鼻経管栄養チューブに触れることや、例えば口唇裂又は口蓋裂の縫合部などに触れることを確実に阻止できる。経鼻経管栄養チューブの抜管も、当然阻止される。さらに、両手を拘束する必要がなくなるので、両手を自由に動かすことによって認知発達が促されるという両手を拘束する方法にはない効果が得られる。また、図３に示した開口部２９のエッジカバー部材２４の曲線状内周側縁辺部２６ａと曲線状内周側縁辺部２６ｂとが交差する部分には、前方に突き出た突出部分２９ａができるので、小児５０の喉頭領域５２とシート部材２０との間に必ず間隙ができる。また、シート部材２０が透明であるので、小児５０がシート部材２０越しに自分の手５１や玩具を見ることができる。したがって、小児用抜管予防具１０を装着した状態において、触覚だけでなく視覚の面においても小児の認知発達が促されるという大きな効果がある。
【００２７】
さらに、本考案の実施の形態に係る小児用抜管予防具１０は、これ自体に認知発達を促す構成を備えている。図７は、本考案のシート部材下面の凸部を示す図であり、（ａ）は本考案の実施の形態におけるシート部材の斜視図、（ｂ）は別の実施の形態における斜視図である。図７において、４３は下面、４４は稜線状突出部、４５はシート部材、４６は下面、４７は円弧状突出部であり、その他の符号は図１と同じものを示す。
【００２８】
シート部材２０は、図７（ａ）に示すように、下面４３の全体に渡って平行に多数配置された稜線状突出部４４を形成している。したがって、図５及び図６に示すように、小児５０が顔に向かって手５１を挙げてシート部材２０の下面４３に触れたときに、触感を通じて稜線状突出部４４のような凸部を認知することになる。小児が稜線状突出部４４を認知すると、稜線状突出部４４に触り続けるなどして、認知発達が促進されることが期待できる。なお、シート部材２０の下面の凸部はこの形状に限られるものではない。例えば、図７（ａ）に示すように、シート部材４５の下面４６に円弧状突出部４７を多数平行に形成するなどしてもよく、円形の凸部を多数配置するようにしてもよい。
【００２９】
以上に説明した本考案の実施の形態に係る小児用抜管予防具１０の効果をまとめると、まず、経鼻経管栄養チューブに触れることや、例えば口唇裂又は口蓋裂の縫合部などに触れることを確実に阻止できるだけでなく、シート部材２０において開口部の小児の頚部の喉頭が位置する側の部分が外側に向かって突出するように形成したので、シート部材２０と小児の頚部との間に間隙ができ、装着中に小児の呼吸を妨げることを防止することができる。また、スナップボタン上部３０及び３１と、スナップボタン下部３２、３３、３４、３５及び３６から構成されるスナップボタンをシート部材２０の内周側縁辺部と外周側縁辺部との中間領域に設けているので、シート部材２０の両端部の内周側縁辺部は互いに接続されていない状態になる。したがって、小児の頚部がシート部材２０の両端部の内周側縁辺部に押し当てられても、シート部材２０の両端部近傍部分がたわむことによって、小児の呼吸を妨げることを防止することができる。さらに、例えば経鼻経管栄養チューブや顔の患部に触ろうとしたときに、シート部材２０の下面４３の稜線状突出部４４に触れることになるので、稜線状突出部４４を認識して繰り返し触わることなどを通じてリーチングを向上し、認知発達を促進することが可能となる。これらの効果は、いずれも従来技術に係るアニマルネッカーにないものである。
【００３０】
なお、本考案は、以上に説明した各実施の形態の説明内容に限定されるものではなく、例えば接続手段として、スナップボタンの上部及び下部に代えて、面ファスナのフック部とループ部を同じ部位に同じ大きさで設けるなど、各請求項に記載した範囲を逸脱しない限りにおいて種々の変形を加えることが可能である。
【符号の説明】
【００３１】
１０    小児用抜管予防具
２０    シート部材
２１    挿管開口部
２２    挿管開口部
２３    挿管開口部
２４    エッジカバー部材
２５    円弧状内周側縁辺部
２６ａ  曲線状内周側縁辺部
２６ｂ  曲線状内周側縁辺部
２７ａ  直線状縁辺部
２７ｂ  直線状縁辺部
２８    外周側縁辺部
２９    開口部
２９ａ  突出部分
３０    スナップボタン上部
３１    スナップボタン上部
３２    スナップボタン下部
３３    スナップボタン下部
３４    スナップボタン下部
３５    スナップボタン下部
３６    スナップボタン下部
４０    スナップボタン配置領域
４１    外方突出部分
４３    下面
４４    稜線状突出部
４５    シート部材
４６    下面
４７    円弧状突出部
５０    小児
５１    手
５２    喉頭領域
１００  エリザベスカラー
１０１  メッシュシート
１０２  補強部材
１０３  スナップボタン上部
１０４  スナップボタン下部
１０５  内周側縁辺部
１０６  外周側縁辺部
１０７  補強枠材
１０８  直線状部
１１０  患者動物
１１１  首下部当接領域
【図１】
0003212904.tif 000003
【図２】
0003212904.tif 000004
【図３】
0003212904.tif 000005
【図４】
0003212904.tif 000006
【図５】
0003212904.tif 000007
【図６】
0003212904.tif 000008
【図７】
0003212904.tif 000009
【図８】
0003212904.tif 000010